(57)【要約】【課題】作業性を向上させることができると共に、耐久性を高めることができる野縁接続金物を提供する。【解決手段】一実施形態に係る野縁接続金物１は、第１野縁３及び第２野縁４のそれぞれに上から嵌合する嵌合部１３を有する第１部材１０と、第１部材１０に取り付けられる第２部材とを備え、嵌合部１３は、第１野縁３及び第２野縁４のそれぞれに対して複数設けられており、第１部材１０は孔部１２を有し、第２部材は挿入折り曲げ部２３を有し、第２部材は、挿入折り曲げ部２３が挿入されて折り曲げられた状態で第１部材１０に取り付けられる。【選択図】図１
2019105030.tif 000002
【特許請求の範囲】
【請求項１】
第１野縁と、前記第１野縁から前記第１野縁と交差する方向に延在する第２野縁と、を接続する野縁接続金物であって、
前記第１野縁及び前記第２野縁のそれぞれに上から嵌合する複数の嵌合部を有する第１部材と、
前記第１部材に取り付けられる第２部材と、
を備え、
前記嵌合部は、前記第１野縁及び前記第２野縁のそれぞれに対して複数設けられており、
前記第１部材は孔部を有し、前記第２部材は前記孔部に通される挿入折り曲げ部を有し、
前記第２部材は、前記挿入折り曲げ部が前記孔部に挿入されて折り曲げられた状態で前記第１部材に取り付けられる、
野縁接続金物。
【請求項２】
前記挿入折り曲げ部は、前記第１野縁及び前記第２野縁の少なくともいずれかに対して左右一対に設けられる、
請求項１に記載の野縁接続金物。
【請求項３】
各前記挿入折り曲げ部は、前記第１野縁及び前記第２野縁の少なくともいずれかの側面と前記孔部の縁との間に挿入されると共に、前記孔部の外側に折り曲げられる、
請求項２に記載の野縁接続金物。
【発明の詳細な説明】
【技術分野】
【０００１】
本発明は、天井を構成する複数の野縁を接続する野縁接続金物に関する。
【背景技術】
【０００２】
実開昭６０−１３０９１４号公報には、天井を構成する複数の棒状のチャンネル部材を連結する天井下地材連結金具が記載されている。各チャンネル部材の端部には天井下地材が取り付けられ、天井下地材連結金具は複数の天井下地材を連結する。天井下地材連結金具は複数の保持部を備え、各保持部は各天井下地材に沿って縦横に突出している。天井下地材連結金具には、下方から天井下地材連結金具を覆う被板が取り付けられる。被板は、平板状の基板と、基板から上方に突出する複数の係止片とを備える。また、天井下地材連結金具は、その上面部にＬ字状の複数の孔部を有する。
【０００３】
この天井下地材連結金具を用いた工法では、各チャンネル部材の端部に天井下地材を取り付けて、各天井下地材が各保持部に挿入及び係合されることによって複数のチャンネル部材が連結される。そして、天井下地材連結金具の各々のＬ字状の孔部に被板の係止片を下から挿通し、挿通した各係止片を天井下地材連結金具の上部で折り曲げることにより、被板が天井下地材連結金具に取り付けられる。
【先行技術文献】
【特許文献】
【０００４】
【特許文献１】実開昭６０−１３０９１４号公報
【発明の概要】
【発明が解決しようとする課題】
【０００５】
前述した工法では、各チャンネル部材の端部に天井下地材を取り付け、その後、各天井下地材を天井下地材連結金具に取り付けて、更に被板を天井下地材連結金具に取り付ける作業が必要である。よって、作業が煩雑であり各部材の取り付けに時間がかかるため、作業性がよくないという問題がある。また、特に近年、地震等に対する天井の耐久性を高めることが強く求められており、地震等が生じても各部材の固定状態を維持できることが求められている。
【０００６】
本発明は、作業性を向上させることができると共に、耐久性を高めることができる野縁接続金物を提供することを目的とする。
【課題を解決するための手段】
【０００７】
本発明に係る野縁接続金物は、第１野縁と、第１野縁から第１野縁と交差する方向に延在する第２野縁と、を接続する野縁接続金物であって、第１野縁及び第２野縁のそれぞれに上から嵌合する複数の嵌合部を有する第１部材と、第１部材に取り付けられる第２部材と、を備え、嵌合部は、第１野縁及び第２野縁のそれぞれに対して複数設けられており、第１部材は孔部を有し、第２部材は孔部に通される挿入折り曲げ部を有し、第２部材は、挿入折り曲げ部が孔部に挿入されて折り曲げられた状態で第１部材に取り付けられる。
【０００８】
この野縁接続金物は、第１野縁及び第２野縁のそれぞれに上から嵌合する複数の嵌合部を備える第１部材と、第１部材に取り付けられる第２部材とを備え、第１部材は第２部材の挿入折り曲げ部を通す孔部を有する。第２部材は、挿入折り曲げ部が孔部に挿入されて折り曲げられた状態で第１部材に取り付けられる。よって、第１部材の複数の嵌合部のそれぞれを第１野縁及び第２野縁に嵌合し、第２部材の挿入折り曲げ部を第１部材の孔部に挿入して折り曲げた状態で取り付けを行うことができるので、第１野縁及び第２野縁に対する第１部材及び第２部材の取り付けを容易に行うことができる。従って、野縁接続金物を取り付ける作業の作業性を向上させることができる。また、第１部材は複数の嵌合部を備え、嵌合部は第１野縁及び第２野縁のそれぞれに対して複数設けられている。従って、第１野縁に複数の嵌合部が嵌合すると共に、第２野縁に複数の嵌合部が嵌合するため、第１野縁と第２野縁の交差角度を保持することができる。すなわち、地震等が生じても第１部材と第２野縁の回転を抑制することができ、各部材の固定状態を維持することができるので、天井の耐久性を高めることができる。
【０００９】
また、挿入折り曲げ部は、第１野縁及び第２野縁の少なくともいずれかに対して左右一対に設けられてもよい。この場合、野縁の左右両側に挿入折り曲げ部が設けられ、野縁は両側から挿入折り曲げ部に挟まれた状態となる。従って、一対の挿入折り曲げ部によって野縁をより強固に保持することができるので、天井の耐久性をより高めることができる。
【００１０】
また、各挿入折り曲げ部は、第１野縁及び第２野縁の少なくともいずれかの側面と孔部の縁との間に挿入されると共に、孔部の外側に折り曲げられてもよい。この場合、野縁の側面と孔部の縁との間に各挿入折り曲げ部が挟み込まれる。従って、各挿入折り曲げ部を上記側面と孔部の縁との間に下から挿入して折り曲げることにより、第２部材の取り付けを容易に行うことができる。また、野縁のそれぞれの側面と孔部の縁との間に各挿入折り曲げ部が挟み込まれることにより、野縁の左右両側に位置する各挿入折り曲げ部を強固に保持することができる。従って、野縁に対する保持力を更に高めることができるので、天井の耐久性を更に高めることができる。
【発明の効果】
【００１１】
本発明によれば、作業性を向上させることができると共に、耐久性を高めることができる。
【図面の簡単な説明】
【００１２】
【図１】実施形態に係る野縁接続金物、第１野縁及び第２野縁を示す斜視図である。
【図２】図１の野縁接続金物の第１部材及び第２部材を示す斜視図である。
【図３】図２の第１部材を示す平面図である。
【図４】図２の第１部材の嵌合部が第１野縁又は第２野縁に嵌合している状態を示す図である。
【図５】図２の第１部材のリブ部を拡大した断面図である。
【図６】図２の第２部材を示す平面図である。
【図７】第１野縁及び第２野縁に第１部材が嵌合した状態を示す斜視図である。
【図８】図７の第１部材の孔部に下から第２部材の挿入折り曲げ部が挿入された状態を示す斜視図である。
【図９】（ａ）は、図８の挿入折り曲げ部が第１部材の孔部に挿入された状態を示す断面図である。（ｂ）は、（ａ）の挿入折り曲げ部が第１部材の上方で第１部材に沿って折り曲げられた状態を示す断面図である。
【発明を実施するための形態】
【００１３】
以下では、図面を参照しながら本発明に係る野縁接続金物の実施形態について説明する。図面の説明において、同一又は相当する要素には同一の符号を付し、重複する説明を適宜省略する。
【００１４】
図１は、本実施形態に係る野縁接続金物１を示す斜視図である。図１に示されるように、野縁接続金物１は、例えば、複数の天井面材２を備えた天井構造に設けられており、この天井構造は、第１野縁３と、第１野縁３に交差する第２野縁４とを備えている。第１野縁３と第２野縁４は、例えば、同一平面内に配置されており、第１野縁３の高さは第２野縁４の高さと同一である。
【００１５】
以下では、第１野縁３が延びる方向を第１方向Ｄ１、第２野縁４が延びる方向を第２方向Ｄ２として説明する。例えば、第１野縁３及び第２野縁４は、共に天井面材２にビス止めされており、各天井面材２は正方形状とされている。一例として、天井面材２は、ポリエステル製の不織布基材を備えた天井材であってもよく、この場合、従来の天井材よりも軽量化することが可能である。
【００１６】
野縁接続金物１は、第１野縁３と第２野縁４の交差部分に配置される。野縁接続金物１は、第１野縁３及び第２野縁４の火打ちとしての機能を有しており、第１野縁３及び第２野縁４の交差部分を補強する。従って、前述のような軽量化された天井面材２を用いても、野縁接続金物１により、天井構造の面剛性を高める効果が得られる。
【００１７】
野縁接続金物１は、第１野縁３及び第２野縁４の交差部分において、第１野縁３と第２野縁４とを接続する。例えば、第１野縁３は、第１方向Ｄ１に延びる通し野縁であり、第２野縁４は、当該交差部分において２本に分断されている。この場合、各第２野縁４の第２方向Ｄ２の端部が第１野縁３の側面３ａに対向する。野縁接続金物１は、２本の第２野縁４のうち一方の第２野縁４の端部と、第１野縁３と、２本の第２野縁４のうち他方の第２野縁４の端部とを接続する。
【００１８】
第１野縁３を、その長手方向に直交する面で切断したときの断面は、上方に開口した形状とされている。すなわち、第１野縁３は、一対の側面３ａと、一対の側面３ａ同士を接続する底面３ｂとを有し、一対の側面３ａ及び底面３ｂによって上方に開口するコの字状とされている。また、第１野縁３は、その上端で第１野縁３の幅方向の内側且つ下側に折り返された折り返し部３ｃを備える。折り返し部３ｃは第１野縁３の幅方向に一対に設けられる。第２野縁４の形状は、例えば、第１野縁３の形状と同様とされており、第２野縁４は、第１野縁３と同様の側面４ａ、底面４ｂ及び折り返し部４ｃを備える。
【００１９】
図１及び図２に示されるように、野縁接続金物１は、第１野縁３及び第２野縁４の上側に位置する第１部材１０と、第１野縁３及び第２野縁４の下側に位置する第２部材２０とを備える。第１部材１０は、平板部１１と、平板部１１を貫通する複数の孔部１２と、平板部１１から折り曲げられた複数の嵌合部１３と、平板部１１の各端辺１１ａから下方に折り曲げられた折り曲げ部１４と、平板部１１から盛り上がるリブ部１５とを有する。
【００２０】
平板部１１は、第１方向Ｄ１及び第２方向Ｄ２に延びる平面を形成し、天井面材２に沿って延在する。平板部１１は八角形状とされており、平板部１１の４つの端辺１１ａは第１方向Ｄ１及び第２方向Ｄ２の双方に傾斜している。平板部１１の他の４つの端辺１１ｂは、第１野縁３及び第２野縁４それぞれの幅方向に延在する。端辺１１ａは第１野縁３と第２野縁４の間を跨ぐ辺であり、端辺１１ｂは一対の側面３ａ，４ａの間に入り込む。端辺１１ａは端辺１１ｂよりも長く延びており、端辺１１ａと端辺１１ｂとの成す角度は例えば１３５°である。
【００２１】
図２及び図３に示されるように、平板部１１の中心１１ｄを通り且つ２つの端辺１１ｂを通る２本の仮想直線Ｌのそれぞれには、２つの孔部１２が設けられている。例えば、当該２つの孔部１２は中心１１ｄに対して互いに対称となる位置に配置される。孔部１２は、第２部材２０の後述する挿入折り曲げ部２３を通すため、及び軽量化のために設けられる。平板部１１には合計４つの孔部１２が形成されている。例えば、各孔部１２は長方形状とされている。孔部１２の一対の短辺を成す縁１２ａは第１方向Ｄ１又は第２方向Ｄ２に延在し、孔部１２の一対の長辺を成す縁１２ｂは第１野縁３及び第２野縁４それぞれの幅方向に延在する。
【００２２】
中心１１ｄ側の各縁１２ｂ、及び各端辺１１ｂからは、下方に嵌合部１３が延在する。平板部１１には合計８つの嵌合部１３が設けられている。８つの嵌合部１３のうち４つは各縁１２ｂから下方に延在しており、他の４つは各端辺１１ｂから下方に延在している。また、８つの嵌合部１３のうち、４つが第１野縁３に嵌合し、２つが一方の第２野縁４に嵌合し、残り２つが他方の第２野縁４に嵌合する。
【００２３】
図４に示されるように、嵌合部１３は、第１野縁３の一対の折り返し部３ｃの間、及び第２野縁４の一対の折り返し部４ｃの間に嵌合する形状とされている。具体的には、各嵌合部１３は、平板部１１から下方に延びる一対の直線部１３ａと、各直線部１３ａの下端から拡張する拡張部１３ｂと、各拡張部１３ｂから下方に半円状に湾曲する湾曲部１３ｃとを備える。嵌合部１３は、各拡張部１３ｂ及び湾曲部１３ｃが一対の折り返し部３ｃ，４ｃの下方に入り込むことにより、第１野縁３又は第２野縁４に上から嵌合する。
【００２４】
図１及び図２に示されるように、平板部１１には折り曲げ部１４が設けられてもよい。折り曲げ部１４は、平板部１１の端辺１１ａから下方に延在し、第１部材１０の剛性を高めるために設けられる。第１野縁３及び第２野縁４に第１部材１０が取り付けられた状態では、折り曲げ部１４は、第１野縁３の側面３ａと第２野縁４の側面４ａとの間において斜めに延在する。
【００２５】
図１、図２及び図５に示されるように、平板部１１には、各端辺１１ａに沿うように複数のリブ部１５が設けられてもよい。平面視において、各リブ部１５は端辺１１ａに沿って長く延びる長円状とされている。各リブ部１５は、平板部１１において湾曲して盛り上がっており、第１部材１０の剛性を高めるために設けられる。なお、前述した折り曲げ部１４及びリブ部１５は、いずれも補剛のために設けられるが、折り曲げ部１４及びリブ部１５の一方を省略することも可能である。また、第１部材１０は、リブ部１５を省略して、突出する部位を有しない平板部１１を備えていてもよい。この場合、第１部材１０の形状を更に簡易にすることができる。
【００２６】
図２及び図６に示されるように、第２部材２０は、第１野縁３及び第２野縁４に沿って平面状に延在する平板部２１と、平板部２１から上方に突出する複数の突出部２２と、平板部２１から上方に突出すると共に第１部材１０の上方で折り曲げられる挿入折り曲げ部２３と、を備える。平板部２１は多角形状とされている。平板部２１は、八角形状の中央部２１ａと、中央部２１ａから平板部２１の外方に十字状に延びる４つの野縁受け部２１ｂとを含む。各野縁受け部２１ｂは矩形状とされている。
【００２７】
４つの野縁受け部２１ｂのうち、２つの野縁受け部２１ｂからは一対の突出部２２が突出しており、他の２つの野縁受け部２１ｂからは一対の挿入折り曲げ部２３が突出している。突出部２２が突出する野縁受け部２１ｂは、平板部２１の中心２１ｃに対して互いに対称となる位置に一対に配置されている。また、挿入折り曲げ部２３が突出する野縁受け部２１ｂも中心２１ｃに対して互いに対称となる位置に一対に配置されている。突出部２２は野縁受け部２１ｂの一対の短辺のそれぞれから突出しており、挿入折り曲げ部２３も野縁受け部２１ｂの一対の短辺のそれぞれから突出している。
【００２８】
一対の突出部２２及び野縁受け部２１ｂは、第１野縁３を下から囲む部位であり、一対の挿入折り曲げ部２３及び野縁受け部２１ｂは、各第２野縁４を下から囲む部位である。各挿入折り曲げ部２３は各突出部２２よりも長く突出している。挿入折り曲げ部２３は、野縁受け部２１ｂから突出する基端部２３ａと、基端部２３ａから更に突出すると共に孔部１２に下から挿通される先端部２３ｂとを有する。各先端部２３ｂは、孔部１２に下から挿通されると共に平板部１１の上面１１ｅに沿って孔部１２の外側に折り曲げられる。
【００２９】
平板部２１に対する基端部２３ａの突出高さは、例えば、平板部２１に対する突出部２２の突出高さと同一である。また、基端部２３ａと先端部２３ｂとの間には、例えば、折り曲げ線が設けられていてもよく、この場合、先端部２３ｂを容易に折り曲げることが可能となる。
【００３０】
次に、第１部材１０及び第２部材２０を備えた野縁接続金物１を用いて第１野縁３及び第２野縁４を接続する野縁接続方法について説明する。本実施形態において、野縁接続金物１は、２本の第２野縁４と、２本の第２野縁４の間を通る１本の第１野縁３と、を接続する。
【００３１】
まず、図７に示されるように、鉛直方向上方から第１部材１０を第１野縁３及び第２野縁４に嵌合する。このとき、８つの嵌合部１３のうち同一直線上に位置する４つの嵌合部１３を第１野縁３に嵌合する。そして、当該４つの嵌合部１３から見て一方側に位置する２つの嵌合部１３を一方の第２野縁４に嵌合すると共に、残り２つの嵌合部１３を他方の第２野縁４に嵌合する。このとき、各嵌合部１３の拡張部１３ｂと湾曲部１３ｃが第１野縁３及び第２野縁４のそれぞれの折り返し部３ｃ，４ｃの下方に入り込むことにより、第１野縁３及び第２野縁４のそれぞれに各嵌合部１３が嵌合する。
【００３２】
次に、第１野縁３及び第２野縁４の下方に第２部材２０を配置する。具体的には、図８及び図９（ａ）に示されるように、第１野縁３を各突出部２２の間に嵌め込むと共に、各第２野縁４を各挿入折り曲げ部２３の間に嵌め込む。このとき、各挿入折り曲げ部２３を第２野縁４の各側面４ａと孔部１２の縁１２ａとの間に下から挿入し、各挿入折り曲げ部２３の先端部２３ｂを第１部材１０の上方に突出させる。
【００３３】
その後、図１及び図９（ｂ）に示されるように、各先端部２３ｂを各縁１２ａの外側に折り曲げることによって、各挿入折り曲げ部２３を平板部１１の上面１１ｅに沿って孔部１２の外側に折り曲げる。このように、各挿入折り曲げ部２３を第１部材１０の上方で第１部材１０に沿って折り曲げることにより、第１部材１０に第２部材２０を固定させることができ、野縁接続金物１の取り付け作業が完了する。この野縁接続金物１の取り付け作業は、工具等を使わずに手だけで行うことが可能である。
【００３４】
次に、本実施形態に係る野縁接続金物１から得られる作用効果についてより詳細に説明する。野縁接続金物１は、第１野縁３及び第２野縁４のそれぞれに上から嵌合する複数の嵌合部１３を備える第１部材１０と、第１部材１０に取り付けられる第２部材２０とを備え、第１部材１０は第２部材２０の挿入折り曲げ部２３を通す孔部１２を有する。第２部材２０は、挿入折り曲げ部２３が孔部１２に挿入されて折り曲げられた状態で第１部材１０に取り付けられる。よって、第１部材１０の複数の嵌合部１３のそれぞれを第１野縁３及び第２野縁４に嵌合し、第２部材２０の挿入折り曲げ部２３を第１部材１０の孔部１２に挿入して折り曲げた状態で取り付けを行うことができる。従って、第１野縁３及び第２野縁４に対する第１部材１０及び第２部材２０の取り付けを容易に行うことができる。
【００３５】
また、本実施形態において、野縁接続金物１は、第１野縁３及び第２野縁４を上下から挟み込む第１部材１０及び第２部材２０を備え、第１部材１０は第２部材２０の挿入折り曲げ部２３を通す孔部１２を有する。従って、第１部材１０と第２部材２０とによって第１野縁３及び第２野縁４を挟み込むことにより、第１野縁３及び第２野縁４の落下を防止することができる。また、第２部材２０は、挿入折り曲げ部２３が下から孔部１２に挿入されて挿入折り曲げ部２３が第１部材１０の上方で第１部材１０に沿って折り曲げられることにより、第１部材１０に取り付けられる。よって、第１野縁３及び第２野縁４に対する第１部材１０及び第２部材２０の取り付けを容易に行うことができるので、野縁接続金物１を取り付ける作業の作業性を向上させることができる。
【００３６】
また、第１部材１０は複数の嵌合部１３を備え、嵌合部１３は第１野縁３及び第２野縁４のそれぞれに対して複数設けられている。従って、第１野縁３に複数の嵌合部１３が嵌合すると共に、第２野縁４に複数の嵌合部１３が嵌合するため、第１野縁３と第２野縁４の交差角度を保持することができる。すなわち、地震等が生じても第１野縁３と第２野縁４の回転を抑制することができ、各部材の固定状態を維持することができるので、天井の耐久性を高めることができる。また、８つの嵌合部１３のうち４つの嵌合部１３は、孔部１２の縁１２ｂから延びている。従って、挿入折り曲げ部２３が挿入される孔部１２の縁１２ｂを、嵌合部１３を形成する場所として有効利用することができる。よって、第１部材１０の形状の複雑化を抑制することができる。
【００３７】
また、挿入折り曲げ部２３は、第２野縁４に対して左右一対に設けられている。よって、第２野縁４の左右両側に挿入折り曲げ部２３が設けられ、第２野縁４は両側から挿入折り曲げ部２３に挟まれた状態となる。従って、一対の挿入折り曲げ部２３によって第２野縁４をより強固に保持することができるので、天井の耐久性をより高めることができる。なお、挿入折り曲げ部２３は、第１野縁３に対して左右一対に設けられてもよい。
【００３８】
また、各挿入折り曲げ部２３は、第２野縁４の側面４ａと孔部１２の縁１２ａとの間に挿入されると共に、孔部１２の外側に折り曲げられる。すなわち、第２野縁４の側面４ａと孔部１２の縁１２ａとの間に各挿入折り曲げ部２３が挟み込まれる。従って、各挿入折り曲げ部２３を側面４ａと孔部１２の縁１２ａとの間に下から挿入して折り曲げることにより、第２部材２０の取り付けを容易に行うことができる。
【００３９】
また、第２野縁４の側面４ａと孔部１２の縁１２ａとの間に各挿入折り曲げ部２３が挟み込まれることにより、第２野縁４の左右両側に位置する挿入折り曲げ部２３を強固に保持することができる。従って、第２野縁４に対する保持力を更に高めることができるので、天井の耐久性を更に高めることができる。なお、各挿入折り曲げ部２３は、第１野縁３の側面３ａと孔部１２の縁１２ａとの間に挿入されてもよい。
【００４０】
以上、本発明に係る野縁接続金物の実施形態について説明したが、本発明は、前述の実施形態に限定されるものではなく、各請求項に記載した要旨を変更しない範囲で変形し、又は他のものに適用したものであってもよい。すなわち、本発明に係る野縁接続金物は、各請求項の要旨を変更しない範囲において種々の変形が可能である。
【００４１】
例えば、前述の実施形態では、八角形状の平板部１１と、長方形状の孔部１２と、直線部１３ａ、拡張部１３ｂ及び湾曲部１３ｃを有する嵌合部１３を備えた第１部材１０について説明した。しかしながら、第１部材の平板部、孔部及び嵌合部の形状、大きさ、数及び配置態様については適宜変更可能である。
【００４２】
また、前述の実施形態では、図２に示されるように、平板部２１、突出部２２及び挿入折り曲げ部２３を備え、挿入折り曲げ部２３が下から孔部１２に挿入されて挿入折り曲げ部２３が第１部材１０の上方で第１部材１０に沿って折り曲げられることにより、第１部材１０に取り付けられる第２部材２０について説明した。しかしながら、第２部材の平板部、突出部及び挿入折り曲げ部の形状、大きさ、数及び配置態様については適宜変更可能である。また、第２部材は、第１野縁３、第２野縁４及び第１部材１０の上方に設けられてもよい。例えば、第２部材では突出部を省略してもよいし、全ての突出部に代えて挿入折り曲げ部のみが平板部から突出する第２部材であってもよい。
【００４３】
更に、第２部材は、第１部材１０の孔部１２に上から挿入される挿入折り曲げ部を備えていてもよい。挿入折り曲げ部は、孔部１２に上から挿入されて第１部材１０の下方で折り曲げられる部分であってもよいし、孔部１２に上から挿入されて第１野縁３又は第２野縁４の側面若しくは下面に沿って折り曲げられる部位であってもよい。このように、挿入折り曲げ部が挿入される方向、及び折り曲げられる方向は適宜変更可能である。
【００４４】
また、前述の実施形態では、第１野縁３が第１方向Ｄ１に延在すると共に、第２野縁４が第１野縁３の両側から第２方向Ｄ２に延びる天井構造について例示した。しかしながら、本発明に係る野縁接続金物は他の様々な天井構造にも適用可能である。野縁の形状、大きさ、数及び配置態様は、前述した実施形態とは異なっていてもよい。例えば、交差部分において、第１野縁が２本に分断されていてもよいし、２本の第１野縁の間に第２野縁が通っていてもよい。更に、天井面材の形状、大きさ、数、材料及び配置態様についても、前述の実施形態に限定されず適宜変更可能である。
【符号の説明】
【００４５】
１…野縁接続金物、２…天井面材、３…第１野縁、３ａ，４ａ…側面、３ｂ，４ｂ…底面、３ｃ，４ｃ…折り返し部、４…第２野縁、１０…第１部材、１１…平板部、１１ａ，１１ｂ…端辺、１１ｄ…中心、１１ｅ…上面、１２…孔部、１２ａ，１２ｂ…縁、１３…嵌合部、１３ａ…直線部、１３ｂ…拡張部、１３ｃ…湾曲部、１４…折り曲げ部、１５…リブ部、２０…第２部材、２１…平板部、２１ａ…中央部、２１ｂ…野縁受け部、２１ｃ…中心、２２…突出部、２３…挿入折り曲げ部、２３ａ…基端部、２３ｂ…先端部、Ｄ１…第１方向、Ｄ２…第２方向、Ｌ…仮想直線。
【図１】
2019105030.tif 000003
【図２】
2019105030.tif 000004
【図３】
2019105030.tif 000005
【図４】
2019105030.tif 000006
【図５】
2019105030.tif 000007
【図６】
2019105030.tif 000008
【図７】
2019105030.tif 000009
【図８】
2019105030.tif 000010
【図９】
2019105030.tif 000011